(57)【特許請求の範囲】
【請求項１】
複数種のカーテンウォール工法を同一建物内で組み合わせ可能としたカーテンウォールシステムであって、
前記カーテンウォール構造は、方立部と、パネル面を構成する窓部とに構造的に分離した構造とされ、前記方立部を構成する代替可能な複数種の方立部材と、前記窓部を構成する代替可能な複数種の窓部構成部材とが予め用意され、前記複数種の方立部材と複数種の窓部構成部材とがカーテンウォール工法に応じた構造条件の下で任意に組合せ可能とされ、
前記代替可能な複数種の方立部材として、外部形状を共通とするとともに、方立同士を直列的に接合するために方立間に跨って挿入される方立接合用内挿部材の挿入位置を共通とする単一断面構造の方立と、左右対の関係で組み合わされる分割方立との２種が用意され、前記単一断面構造の方立を使用するカーテンウォール工法と、前記左右対の関係で組み合わされる分割方立を使用するカーテンウォール工法とが隣接する方立境界部では、前記方立接合用内挿部材として左右一組の部材が用いられ、前記左右一組の方立接合用内挿部材の一方端側を共に前記左右対の分割方立内に挿入するとともに、他方端側を共に前記単一断面構造の方立内に挿入し、前記単一断面構造の方立を使用するカーテンウォール工法と、前記左右対の関係で組み合わされる分割方立を使用するカーテンウォール工法とを縦方向に連続させるようにしたことを特徴とするカーテンウォールシステム。
【請求項２】
前記代替可能な複数種の窓部構造部材の内、横枠構成部材として、単一断面構造の横枠と、上下対の関係で組み合わされる分割横枠との２種が用意され、前記単一断面構造の横枠を使用するカーテンウォール工法と、前記上下対の関係で組み合わされる分割横枠を使用するカーテンウォール工法とが隣接する縦方向境界部では、前記単一断面構造の横枠を使用するカーテンウォール工法側の横枠として前記分割横枠の下横枠または上横枠を用いることにより、前記単一断面構造の横枠を使用するカーテンウォール工法と、前記上下対の関係で組み合わされる分割横枠を使用するカーテンウォール工法とを縦方向に連続させるようにした請求項１記載のカーテンウォールシステム。
【請求項３】
複数種のカーテンウォール工法を同一建物内で組み合わせ可能としたカーテンウォールシステムであって、
前記カーテンウォール構造は、方立部と、パネル面を構成する窓部とに構造的に分離した構造とされ、前記方立部を構成する代替可能な複数種の方立部材と、前記窓部を構成する代替可能な複数種の窓部構成部材とが予め用意され、前記複数種の方立部材と複数種の窓部構成部材とがカーテンウォール工法に応じた構造条件の下で任意に組合せ可能とされ、
前記代替可能な複数種の方立部材として、単一断面構造の方立と、左右対の関係で組み合わされる分割方立との２種が用意され、前記単一断面構造の方立を使用するカーテンウォール工法と、前記左右対の関係で組み合わされる分割方立を使用するカーテンウォール工法とが隣接する横方向境界部では、前記単一断面構造の方立を使用するカーテンウォール工法側の方立として、前記左右対の関係で組み合わされる分割方立を使用するカーテンウォール工法側に使用されている一方側分割方立と組み合わせ可能な他方側分割方立を用いることにより、前記単一断面構造の方立を使用するカーテンウォール工法と、前記左右対の関係で組み合わされる分割方立を使用するカーテンウォール工法とを横方向に連続させるようにしたことを特徴とするカーテンウォールシステム。
【請求項４】
前記代替可能な複数種の窓部構造部材の内、縦枠構成部材として、単一断面構造の縦枠と、左右対の関係で組み合わされる分割縦枠との２種が用意され、
前記単一断面構造の方立および単一断面構造の縦枠を使用するノックダウン工法と、前記左右対の関係で組み合わされる分割方立および左右対の関係で組み合わされる分割縦枠を使用するカーテンウォール工法とが隣接する横方向境界部では、前記ノックダウン工法側の方立として、前記左右対の関係で組み合わされる分割方立および左右対の関係で組み合わされる分割縦枠を使用するカーテンウォール工法側に使用されている一方側分割方立と組み合わせ可能な他方側分割方立を用いるとともに、前記左右対の関係で組み合わされる分割方立および左右対の関係で組み合わされる分割縦枠を使用するカーテンウォール工法側に使用されている分割縦枠の一方側縦枠と組み合わせ可能とされる他方側縦枠を用いることにより、前記ノックダウン工法と、前記左右対の関係で組み合わされる分割方立および左右対の関係で組み合わされる分割縦枠を使用するカーテンウォール工法とを横方向に連続させるようにした請求項３記載のカーテンウォールシステム。
【発明の詳細な説明】
【０００１】
【発明の属する技術分野】
本発明は、複数種のカーテンウォール工法（構造）に容易に対応可能とされるとともに、同一建物内で組み合わせ可能としたカーテンウォールシステムに関する。
【０００２】
【従来の技術】
従来より、カーテンウォール工法によって建物の外壁を構築する場合、予め四周を分割方立および横枠からなる枠材にカーテンウォールパネルを組み込んだカーテンウォールユニットを順に取り付ける、所謂ユニット工法（以下、フルユニット方式スプリットマリオン工法ともいう。）と、施工場所において躯体に方立を取り付けたならば、これら方立間に無目を取り付けて開口枠を形成し、各開口にカーテンウォールパネルを取り付ける手順による、所謂ノックダウン方式とが知られている。
【０００３】
近年は、これらユニット方式とノックダウン方式との中間的な方式として、分割方立および横枠とからなるハシゴ形カーテンウォールユニットを順に取り付けた後、カーテンウォールパネルの取付けを行う、所謂ハシゴユニット方式スプリットマリオン工法と、施工場所において躯体に方立を取付けたならば、これら方立に縦枠および横枠からなる枠材にガラス、パネルなどを組み込んだ、所謂セミユニット方式バックマリオン工法とが存在する。これら２者のカーテンウォール工法は、方立を別体として躯体に先行して取付けるか否かの点から分類すると、前記ハシゴユニット方式スプリットマリオン工法はユニット工法に分類され、前記セミユニット方式バックマリオン工法はノックダウン工法に分類される。また、カーテンウォールユニットとしてパネルまで組み込んで一括で施工する点から分類すると、前記セミユニット方式バックマリオン工法はユニット工法に分類され、前記ハシゴユニット方式スプリットマリオン工法はノックダウン工法に分類される。
【０００４】
【発明が解決しようとする課題】
前記ユニット工法は、予め方立および横枠を組み立てた枠材にパネルを嵌め込んだカーテンウォールユニットを順に取り付けるものであるため、施工は効率的であるけれども、各ユニット間の取り合い及び止水構造等が複雑になるなどのデメリットがある一方、後者のノックダウン工法は、構造は簡略化されるけれども、現場で方立と横枠との連結作業、パネル嵌め込み作業等を行わなければならず、かかる作業に手間と時間が掛かるため、作業が省力化かつ効率化されないなどの問題がある。
【０００５】
また、メーカー側においても、仮に前述した４つのカーテンウォール工法にそれぞれ対応した商品を持つ場合、各工法毎にすべての形材、部品等を準備しておく必要があり、製作および管理が煩雑であるとともに、在庫管理品数が膨大となるなどの問題があった。
【０００６】
そこで、本出願人は先の特願2001-85803号において、複数種のカーテンウォール工法に容易に対応可能であるとともに、構成部品の在庫管理等を簡素化し得るカーテンウォールシステムを提案した。かかるカーテンウォールシステムは、方立部と、パネル面を構成する窓部とに構造的に分離した構造とされ、前記方立部を構成する代替可能な複数種の方立部材と、前記窓部を構成する代替可能な複数種の窓部構成部材とが予め用意され、前記複数種の方立部材と複数種の窓部構成部材とがカーテンウォール工法に応じた構造条件の下で任意に組合せ可能とされるものであり、これにより工法間での部材の共通化を図ることができ、メーカー側では、複数のカーテンウォール工法を商品として用意しながら、各構成部材を一元的に管理出来るようになるなどの利点がもたらされるようになる。
【０００７】
前記工法変更可能なカーテンウォールシステムは、部材の共通化によって煩雑な生産管理及び在庫管理を不要としながら、用意された複数種のカーテンウォールシステムから建物毎に品質の安定した工法を安価で提供し得るようになることはもちろんであるが、同一建物の中で複数の工法を組み合わせて採用すること、およびリニューアル時において、ユニット工法で構築した外壁の一部を、たとえばノックダウン工法によって改装したいなどの要求があり、前記特願2001-85803号ではその具体的構造の詳細が未提案であった。
【０００８】
そこで本発明の主たる課題は、複数種のカーテンウォール工法に容易に対応可能としたカーテンウォールシステムにおいて、同一壁面内で異工法を組み合わせ可能とするためのカーテンウォールの具体的構造を提供することにある。
【０００９】
【課題を解決するための手段】
前記課題を解決するために請求項１に係る本発明として、複数種のカーテンウォール工法を同一建物内で組み合わせ可能としたカーテンウォールシステムであって、
前記カーテンウォール構造は、方立部と、パネル面を構成する窓部とに構造的に分離した構造とされ、前記方立部を構成する代替可能な複数種の方立部材と、前記窓部を構成する代替可能な複数種の窓部構成部材とが予め用意され、前記複数種の方立部材と複数種の窓部構成部材とがカーテンウォール工法に応じた構造条件の下で任意に組合せ可能とされ、
前記代替可能な複数種の方立部材として、外部形状を共通とするとともに、方立同士を直列的に接合するために方立間に跨って挿入される方立接合用内挿部材の挿入位置を共通とする単一断面構造の方立と、左右対の関係で組み合わされる分割方立との２種が用意され、前記単一断面構造の方立を使用するカーテンウォール工法と、前記左右対の関係で組み合わされる分割方立を使用するカーテンウォール工法とが隣接する方立境界部では、前記方立接合用内挿部材として左右一組の部材が用いられ、前記左右一組の方立接合用内挿部材の一方端側を共に前記左右対の分割方立内に挿入するとともに、他方端側を共に前記単一断面構造の方立内に挿入し、前記単一断面構造の方立を使用するカーテンウォール工法と、前記左右対の関係で組み合わされる分割方立を使用するカーテンウォール工法とを縦方向に連続させるようにしたことを特徴とするカーテンウォールシステムが提供される。
【００１０】
請求項２に係る本発明として、前記代替可能な複数種の窓部構造部材の内、横枠構成部材として、単一断面構造の横枠と、上下対の関係で組み合わされる分割横枠との２種が用意され、前記単一断面構造の横枠を使用するカーテンウォール工法と、前記上下対の関係で組み合わされる分割横枠を使用するカーテンウォール工法とが隣接する縦方向境界部では、前記単一断面構造の横枠を使用するカーテンウォール工法側の横枠として前記分割横枠の下横枠または上横枠を用いることにより、前記単一断面構造の横枠を使用するカーテンウォール工法と、前記上下対の関係で組み合わされる分割横枠を使用するカーテンウォール工法とを縦方向に連続させるようにした請求項１記載のカーテンウォールシステムが提供される。
【００１１】
請求項３に係る本発明として、複数種のカーテンウォール工法を同一建物内で組み合わせ可能としたカーテンウォールシステムであって、
前記カーテンウォール構造は、方立部と、パネル面を構成する窓部とに構造的に分離した構造とされ、前記方立部を構成する代替可能な複数種の方立部材と、前記窓部を構成する代替可能な複数種の窓部構成部材とが予め用意され、前記複数種の方立部材と複数種の窓部構成部材とがカーテンウォール工法に応じた構造条件の下で任意に組合せ可能とされ、
前記代替可能な複数種の方立部材として、単一断面構造の方立と、左右対の関係で組み合わされる分割方立との２種が用意され、前記単一断面構造の方立を使用するカーテンウォール工法と、前記左右対の関係で組み合わされる分割方立を使用するカーテンウォール工法とが隣接する横方向境界部では、前記単一断面構造の方立を使用するカーテンウォール工法側の方立として、前記左右対の関係で組み合わされる分割方立を使用するカーテンウォール工法側に使用されている一方側分割方立と組み合わせ可能な他方側分割方立を用いることにより、前記単一断面構造の方立を使用するカーテンウォール工法と、前記左右対の関係で組み合わされる分割方立を使用するカーテンウォール工法とを横方向に連続させるようにしたことを特徴とするカーテンウォールシステムが提供される。
【００１２】
請求項４に係る本発明として、前記代替可能な複数種の窓部構造部材の内、縦枠構成部材として、単一断面構造の縦枠と、左右対の関係で組み合わされる分割縦枠との２種が用意され、
前記単一断面構造の方立および単一断面構造の縦枠を使用するノックダウン工法と、前記左右対の関係で組み合わされる分割方立および左右対の関係で組み合わされる分割縦枠を使用するカーテンウォール工法とが隣接する横方向境界部では、前記ノックダウン工法側の方立として、前記左右対の関係で組み合わされる分割方立および左右対の関係で組み合わされる分割縦枠を使用するカーテンウォール工法側に使用されている一方側分割方立と組み合わせ可能な他方側分割方立を用いるとともに、前記左右対の関係で組み合わされる分割方立および左右対の関係で組み合わされる分割縦枠を使用するカーテンウォール工法側に使用されている分割縦枠の一方側縦枠と組み合わせ可能とされる他方側縦枠を用いることにより、前記ノックダウン工法と、前記左右対の関係で組み合わされる分割方立および左右対の関係で組み合わされる分割縦枠を使用するカーテンウォール工法とを横方向に連続させるようにした請求項３記載のカーテンウォールシステムが提供される。
【００１３】
ここで、前記請求項１および請求項２に係る発明は、縦方向に異工法のカーテンウォールを連続させる場合の具体的構造を提案し、前記請求項３および請求項４に係る発明は、横方向に異工法のカーテンウォールを連続させる場合の具体的構造を提案するものである。
【００１４】
【発明の実施の形態】
以下、本発明の実施の形態について図面を参照しながら詳述する。
〔本カーテンウォールシステム〕
本発明に係るカーテンウォール構造は、図１に示されるように、ノックダウン工法ＫＤ、ハシゴユニット方式スプリットマリオン工法ＬＵ、セミユニット方式バックマリオン工法ＢＭおよびフルユニット方式スプリットマリオン工法ＳＭの４つの工法（構造）間において、最大限に部材の共通化を図ることにより、最小限の部材変更により、複数種のカーテンウォール工法に容易に対応可能であるとともに、構成部品の在庫管理等を簡素化したカーテンウォール構造である。
【００１５】
具体的には、カーテンウォール構造は、相対的に室内側に位置する方立部と、相対的に室外側に位置しパネル面を構成する窓部とに構造的に分離した構造とされ、同図に示されるように、前記方立部に関しては、ノックダウン工法ＫＤおよびセミユニット方式バックマリオン工法ＢＭの方立を共通化するとともに、ハシゴユニット方式スプリットマリオン工法ＬＵおよびフルユニット方式スプリットマリオン工法ＳＭの方立を共通化し、一方前記窓部では、縦枠に関し、前記ハシゴユニット方式スプリットマリオン工法ＬＵ、セミユニット方式バックマリオン工法ＢＭおよびフルユニット方式スプリットマリオン工法ＳＭの縦枠を共通化するとともに、横枠に関し、セミユニット方式バックマリオン工法ＢＭおよびフルユニット方式スプリットマリオン工法ＳＭの横枠を共通化したものである。これら前記複数種の方立部材と複数種の窓部構成部材とは、カーテンウォール工法に応じた構造条件の下で任意に組合せ可能とされる。
【００１６】
以下、本システム構成の理解のために、具体的にセミユニット方式バックマリオン工法ＢＭ、フルユニット方式スプリットマリオン工法ＳＭ、ハシゴユニット方式スプリットマリオン工法ＬＵ、ノックダウン工法ＫＤの順で工法変更手順を交えながら、これらのカーテンウォール構造について詳述する。
【００１７】
〔セミユニット方式バックマリオン工法〕
セミユニット方式バックマリオン工法ＢＭに係るカーテンウォール構造は、建物躯体（床）の端部に固定された方立支持金具によって、水平方向に間隔をおいて上下方向に沿って方立２，２…を架け渡した後、この方立２，２…を支持部材として、縦枠３Ａ、３Ｂおよび上・下横枠４Ａ、４Ｂ、図示例では中間横枠５を含んで枠状部材を構成するとともに、この枠状部材の室外面側に縦押縁６Ａ、６Ｂおよび横押縁７Ａ、７Ｂを取付けガラスＧ、Ｇ（複層ガラス）を嵌め込んだパネルユニットＵBMを順に取り付けるようにした構造のカーテンウォールである。
【００１８】
前記方立２は、図２に示されるように、内空に隔壁を備え２つの中空室を有する断面略方形状の型材で、室外側面の両側縁部には、部材長手方向に沿って縦枠３Ａ、３Ｂに当接する突片２ａ、２ｂが形成されている。
【００１９】
前記方立２は、建物躯体の床端部に固定される方立支持金具によって支持される。具体的には、図１９および図２０に示されるように、躯体Ｆの端部にアンカー金具５０が埋設固定されるとともに、このアンカー金具５０に頭部が嵌合支持され、かつネジ部を外部に突出させて設けられた固定用ボルト５１およびナット５１Ａによってファスナー５２を固定し、一方前記方立２の上部側に取付け金具５３をボルト６４，６４によって固定し、この取付け金具５３とファスナー５２との間にライナー金具５５を介在させた状態で固定用ボルト５６およびナット５６Ａによって締結している。なお、前記取付け金具５３の上部にはボルト保持用筒５３ａが一体的に設けられ、かつこのボルト保持用筒５３ａに挿入された上下方向調整ボルト５７の先端が前記ライナー金具５５より延在する上部フランジ片５５ａの水平面に当接することにより据え付け時に方立２の鉛直方向の建付けが調整されるようになっている。なお、前記ボルト保持用筒５３ａの内面に雌ネジを設け、上下方向調整ボルト５７を螺入してもよい。
【００２０】
前記方立２、２の接続部では、上下方向に直列的に配設される方立２，２間に跨って挿入される左右一組の内挿部材により、すなわち相対的に下段側の方立２の上端中空部に下半部が挿入され、上半部が上段側方立２の下端中空部に挿入された左右一組の方立接合用内挿部材４８、４８により方立２、２の連続性が確保されるようになっている。
【００２１】
前記方立接合用内挿部材４８、４８について、図２８に基づいて更に詳述すると、前記方立２の内空部に設けられた仕切り壁２ｅによって形成された２つの中空室２Ａ、２Ｂの内、室内側に位置する中空室２Ａにおいて、両側壁の内面に突片２ｃ、２ｄが形成され、前記仕切り壁２ｅと前記突片２ｃ、２ｄとで挟まれた位置に前記左右一組の方立接合用内挿部材４８、４８がそれぞれ中間ウエブ４８Ａの外面側を方立２の内壁面に対向させるように配向しながら夫々挿入されている。前記方立接合用内挿部材４８、４８はそれぞれ、断面略コ字状を成す所定長さの形材で、中間ウエブ４８Ａの内面側にはナット幅に相当する間隔をおいてナット回り止め用突片４８ａ、４８ｂが部材長手方向に沿って形成され、上側方立または下側方立の一方側（本例では下側方立）において、方立２の側壁及び方立接合用内挿部材４８を貫いて挿入された固定ボルト６４に螺合するナット６５を前記ナット回り止め用突片４８ａ、４８ｂの間に配設し締結するようになっている。
【００２２】
また、前記方立接合用内挿部材４８の両端側フランジ４８Ｂ、４８Ｃ部においては、先端および基端部にそれぞれ凸部４８ｃ〜４８ｆが設けられ、方立２内に挿入する際の接触面積を低減し挿入を容易化している。なお、前記凸部４８ｃと凸部４８ｅとの間であって、かつ方立接合用内挿部材４８と方立２の内壁面との対向面の間にはライナーを介在させるようにしている。
【００２３】
方立２の固定が完了したならば、前記パネルユニットＵBMが取り付けられる。前記パネルユニットＵBMを構成する縦枠３Ａ、３Ｂの内、一方の縦枠３Ａは図２に示されるように、略方形断面の縦枠本体の室外側面において、その内方側にガラス支持部２０を備えるとともに、外方側に室外側に延在する押縁取付け片２１を備え、かつ外側見込み面にはウインドバリア取付け片２２ａとレインバリア取付け片２２ｂとが形成されている。他方の縦枠３Ｂも同様に、略方形断面の縦枠本体の室外側面において、その内方側にガラス支持部２０を備えるとともに、外方側に室外側に延在する押縁取付け片２１を備えるが、外側見込み面には前記ウインドバリア取付け片２２ａに係止されたウインドバリア２３が当接する突片２４ａと、前記レインバリア取付け片２２ｂに係止されたレインバリア２５が当接する突片２４ｂとが形成されている。前記押縁取付け片２１，２１には、それぞれ縦押縁６Ａ、６Ｂが取り付けられ、ガラスＧ、Ｇを間に挟んで、室内側および室外側にそれぞれ施工されたバックアップ材・シーリング材３４、３４により前記ガラスＧ、Ｇが嵌合溝内に支持されている。前記縦枠３Ａ、３ＢはパネルユニットＵBMが隣接配置された状態で左右対の関係で組み合わされる。
【００２４】
また、前記縦枠３Ａ、３Ｂの室内側面には、後述のフルユニット方式スプリットマリオン工法ＳＭ、ハシゴユニット方式スプリットマリオン工法ＬＵにおいて、背面側の分割方立１３と連結するために、断面Ｌ字状係止片２６ａ、２６ｂおよび板状突片２７ａ、２７ｂが設けられている。
【００２５】
一方、前記パネルユニットＵBMを構成する上・下横枠４Ａ、４Ｂの内、一方の上横枠４Ａは図４に示されるように、断面略方形状の横枠本体の室外側に延在して下方側に向けてガラス嵌合溝を形成するように押縁取付け用延在片２８が形成されるとともに、背面側には部材長手方向に沿ってボルト頭部嵌合用リップ条溝２９が形成されている。前記押縁取付け用延在片２８には横押縁７Ａが取付けられ、前記横枠本体に取り付けられたガラス背面支持用ガスケット３０と、バックアップ材・シーリング材３１によってガラスＧ、Ｇが前記ガラス嵌合溝内に支持されている。
【００２６】
また、他方の下横枠４Ｂは、断面略方形状の横枠本体の室外側に延在するとともに、上方側に向けてガラス嵌合溝を形成するように押縁取付け用延在片３２が形成されるとともに、背面側には部材長手方向に沿ってボルト頭部嵌合用リップ条溝３３が形成されている。前記押縁取付け用延在片３２には横押縁７Ｂが取付けられ、ガラスＧ、Ｇを間に挟んで、室内側および室外側にそれぞれ施工されたバックアップ材・シーリング材３４、３４により前記ガラスＧ、Ｇがガラス嵌合溝内に支持されている。前記上横枠４Ａ、下横枠４Ｂは、パネルユニットＵBMが隣接配置された状態で上下対の関係で組み合わされる。
【００２７】
他方、中間横枠５は、図３に示されるように、単一中空断面の横枠本体の室外側面に、上下段配置でそれぞれ上側ガラス用押縁取付け片３５と、下側ガラス用押縁取付け片３６とが設けられ、前記上側ガラス用押縁取付け片３５に取り付けられた横押縁８Ａによって上側ガラス嵌合溝が形成されるとともに、前記下側ガラス用押縁取付け片３６に取り付けられた横押縁８Ｂによって下側ガラス嵌合溝が形成される。ガラスＧ、Ｇは、室内側および室外側にそれぞれ施工されたバックアップ材・シーリング材３４／ガラス背面支持用ガスケット３０によりガラス嵌合溝内に支持されている。また、室内側面には、部材長手方向に沿ってボルト頭部嵌合用リップ条溝３７が設けられている。
【００２８】
前記構造のパネルユニットＵBMは、方立２に対して取付け用ブラケット９を用いて取り付けられる。前記取付け用ブラケット９は、断面Ｌ字状のピース状部材で、方立側フランジ９Ａおよび横枠側フランジ９Ｂのそれぞれには、方立ボルト挿通孔９ａおよび横枠ボルト挿通孔９ｂが形成され、前記方立ボルト挿通孔９ａおよび方立２を貫いて挿通された方立ボルト１０により方立２の両側に前記取付け用ブラケット９，９が固定される。前記パネルユニットＵBMの取付けに当たっては、図示しないクレーン設備等によって前記パネルユニットＵBMを取付け位置まで吊り運搬したならば、前記上・下横枠４Ａ、４Ｂおよび中間横枠５の背面側に形成されたボルト頭部嵌合用リップ条溝２９、３３，３７に対して、横枠固定ボルト１１の頭部１１ａを嵌合させ、背面側に突出するネジ部１１ｂを前記取付け用ブラケット９の横枠ボルト挿通孔９ｂに挿通し、ナット１２により締結するようにする。
【００２９】
前記パネルユニットＵBMを隣接配置した状態では、水平方向に隣接するパネルユニットＵBM間では、図２に示されるように、隣接する縦枠３Ａ、３Ｂ間においてレインバリア２５，ウインドバリア２３によって気水密性が確保されるようになっているとともに、上下方向に隣接パネルユニット間ＵBM間では、図４に示されるように、シールパッキン４２により気水密性が確保されるようになっている。一方、目地交点部では、隣接する上・下横枠４Ａ、４Ｂ間においては、上横枠４Ａの上面側に気密バリヤ３９を一体的に備えるレインバリア３８が配設され、このレインバリア３８の舌片が下横枠４Ｂの下面に接触することにより、およびこれの室内側位置において、さらに気密バリヤ４１を一体的に備えるウインドバリア４０を設けることにより、目地交点部から雨水等が浸入するのを確実に防止するようになっている。前記レインバリア３８、ウインドバリア４０は水平方向に隣接するパネルユニットＵBMの上横枠４Ａ、４Ａ間に跨って所定の区間長に亘って配設される。
【００３０】
〔フルユニット方式スプリットマリオン工法〕
フルユニット方式スプリットマリオン工法ＳＭに係るカーテンウォール構造は、方立を左右の分割構造とし、分割方立を一体的に備える縦枠３Ａ、３Ｂ、上・下横枠４Ａ、４Ｂおよび中間横枠５によって枠状部材を構成するとともに、この枠状部材の室外面側に縦押縁６Ａ、６Ｂおよび横押縁７Ａ、７Ｂを取付けるとともに、ガラスＧ、Ｇ（複層ガラス）を嵌め込んだパネルユニットＵSMを順に建物躯体（床）の端部に固定された方立支持金具に取り付けるようにした構造のカーテンウォールである。
【００３１】
前述のセミユニット方式バックマリオン工法ＢＭに係るカーテンウォール構造を本フルユニット方式スプリットマリオン工法ＳＭに係るカーテンウォール構造に変更するには、図５に示されるように、方立２の変更のみで対応できるようになっている。具体的には同図に示されるように、単一断面構造の前記方立２に代えて、左右対の分割方立１３Ａ、１３Ｂからなり、左右の関係で組み合わされ一体を成す方立１３が使用される。ここで、前記方立２の外部形状、すなわち縦寸法Ａ×横寸法Ｂと、前記分割方立１３の外部形状（Ａ×Ｂ）とは同一とされる。
【００３２】
一方側の分割方立１３Ａは、略方形状の中空断面を成し、対向面の室内側寄り位置には凹部１３ａが形成されているとともに、室外側の面には部材長手方向に沿って板状突片１３ｂ、Ｌ字状突片１３ｃが夫々形成されている。他方の分割方立１３Ｂも同様に、略方形状の中空断面を成し、対向面の室内側寄り位置には突片１３ｄが形成され、室外側の面には部材長手方向に沿って板状突片１３ｆ、Ｌ字状突片１３ｅが夫々形成されている。
【００３３】
前記分割方立１３Ａを縦枠３Ａの室内側面に一体的に組み付けるには、前記分割方立１３Ａの室外側面に形成されたＬ字状突片１３ｃを縦枠３Ａの室内側面に形成された断面Ｌ字状係止片２６ａに係止するとともに、分割方立１３Ａの室外側面に形成された板状突片１３ｂを縦枠３Ａの室内側面に形成された板状突片２７ａと重ね合わせ、両者を貫通する連結リベット４３，４３…によって連結を図る。この連結部には縦方向に沿ってカバー材４４が取り付けられる。
【００３４】
一方の分割方立１３Ｂを縦枠３Ｂの室内側面に一体的に組み付ける場合も同様に、前記分割方立１３Ｂの室外側面に形成されたＬ字状突片１３ｅを縦枠３Ｂの室内側面に形成された断面Ｌ字状係止片２６ｂに係止するとともに、分割方立１３Ｂの室外側面に形成された板状突片１３ｆを縦枠３Ｂの室内側面に形成された板状突片２７ｂと重ね合わせ、両者を貫通する連結リベット４３，４３…によって連結を図る。この連結部にも縦方向に沿ってカバー材４４が取り付けられる。
【００３５】
前述した以外の構造部分、具体的に縦枠３Ａ、３Ｂ、上・下横枠４Ａ、４Ｂ、中間横枠５、縦押縁６Ａ、６Ｂ、横押縁７Ａ、７Ｂ等については、前記セミユニット方式バックマリオン工法ＢＭの場合と全く同様であるため、同符号を付して説明は省略する。
【００３６】
以上、分割方立１３Ａ、１３Ｂを含みながら構成されたパネルユニットＵSMは躯体（床）に固定された方立支持金具に対して順に取り付けられる。前記方立支持金具は、図２１および図２２に示されるように、躯体Ｆの端部にアンカー金具５０が埋設固定されるとともに、このアンカー金具５０に頭部が嵌合支持され、かつネジ部を外部に突出させて設けられた固定用ボルト５１およびナット５１Ａによってファスナー５２が固定された構造のもので、前記分割方立１３の上部側に取付け金具５３をボルト・ナット５４，５４および裏当材５８を用いて固定しておき、図示しないクレーン設備等によって前記パネルユニットＵSMを取付け位置まで吊り運搬したならば、前記取付け金具５３とファスナー５２との間にライナー金具５５を介在させた状態で固定用ボルト５６およびナット５６Ａによって締結し固定する。なお、前記取付け金具５３の上部にはボルト保持用筒５３ａが一体的に設けられ、かつこのボルト保持用筒５３ａに挿入された上下方向調整ボルト５７の先端が前記ライナー金具５５より延在する上部フランジ片５５ａの水平面に当接することにより据え付け時に分割方立１３の鉛直方向の建付けが調整されるようになっている。なお、前記ボルト保持用筒５３ａの内面に雌ネジを設け、上下方向調整ボルト５７を螺入してもよい。
【００３７】
前記分割方立１３、１３の接続部（図８）では、相対的に下段側の分割方立１３Ａ、１３Ｂの上端中空部に下半部が挿入され、上半部が上段側分割方立１３Ａ、１３Ｂの下端中空部に挿入された左右一組の方立接合用内挿部材４８、４８により前記分割方立１３の連続性が確保されるようになっている。前記方立接合用内挿部材４８、４８について、図２９に基づいて更に詳述すると、前記分割方立１３Ａにおいては、中空部の側壁中間部に形成された左右一対の突片１３ｇ、１３ｈと室内側壁部１３ｉとで囲まれた位置に、上下方向に直列的に配設される分割方立１３Ａ、１３Ａに跨って前記方立接合用内挿部材４８が中間ウエブ４８Ａの外面側を分割方立１３Ａの内壁面に対向させるように配向しながら挿入されている。ここで、前記方立接合用内挿部材４８の分割方立１３Ａ内における挿入位置と、方立２内における方立接合用内挿部材４８の挿入位置とは一致するようにしている。
【００３８】
一方、前記分割方立１３Ｂにおいては、中空部の側壁中間部に形成された左右一対の突片１３ｊ、１３ｋと室内側に形成された突片１３ｌ、１３ｍとで囲まれた位置に、上下方向に直列的に配設される分割方立１３Ｂ、１３Ｂに跨って前記方立接合用内挿部材４８が中間ウエブ４８Ａの外面側を分割方立１３Ｂの内壁面に対向させるように配向しながら挿入されている。この分割方立１３Ｂ側においても、前記方立接合用内挿部材４８の分割方立１３Ａ内における挿入位置と、方立２内における方立接合用内挿部材４８の挿入位置とは一致している。
【００３９】
前記方立接合用内挿部材４８、４８はそれぞれ、方立２の接合に用いた部材と同一の部材とされ、前述の如く、断面略コ字状を成す所定長さの形材で、中間ウエブ４８Ａの内面側にはナット幅に相当する間隔をおいてナット回り止め用突片４８ａ、４８ｂが部材長手方向に沿って形成され、上側方立または下側方立の一方側（本例では下側方立）において、方立２の側壁及び方立接合用内挿部材４８を貫いて挿入された固定ボルト６４に螺合するナット６５を前記ナット回り止め用突片４８ａ、４８ｂの間に配設し締結するようになっている。また、前記方立接合用内挿部材４８の両端側フランジ４８Ｂ、４８Ｃ部においては、先端および基端部にそれぞれ凸部４８ｃ〜４８ｆが設けられ、分割方立１３Ａ、１３Ｂ内に挿入する際の接触面積を低減し挿入を容易化している。なお、前記凸部４８ｃと凸部４８ｅとの間であって、かつ方立接合用内挿部材４８と分割方立１３Ａ、１３Ｂの対向面との間にはライナーを介在させるようにしている。
【００４０】
〔ハシゴユニット方式スプリットマリオン工法〕
ハシゴユニット方式スプリットマリオン工法ＬＵに係るカーテンウォール構造は、方立を左右の分割構造とし、分割方立を一体的に備える縦枠３Ａ、３Ｂ、上下二段の中間横枠５によって構成されるハシゴ形の面材をパネルユニットＵLUとして順に建物躯体（床）の端部に固定された方立支持金具に取り付けた後、枠状部材の室外面側に縦押縁６Ａ、６Ｂおよび横押縁８Ａ、８Ｂを取付けるとともに、ガラスＧ、Ｇ（複層ガラス）を嵌め込むようにした構造のカーテンウォールである。
【００４１】
前記フルユニット方式スプリットマリオン工法ＳＭに係るカーテンウォール構造を本ハシゴユニット方式スプリットマリオン工法ＬＵのカーテンウォール構造に変更するには、図９に示されるように、上・下横枠４Ａ、４Ｂを単一断面構造の横枠、具体的には前記セミユニット方式バックマリオン工法ＢＭおよびフルユニット方式スプリットマリオン工法ＳＭに係るカーテンウォール構造において、中間横枠５として用いた横枠に変更するのみで足りる。これ以外の構造部分、具体的に分割方立１３，縦枠３Ａ、３Ｂ、縦押縁６Ａ、６Ｂ、横押縁８Ａ、８Ｂ等については、前記フルユニット方式スプリットマリオン工法ＳＭの場合と同様であるため、同符号を付して説明は省略する。
【００４２】
分割方立１３Ａ、１３Ｂを含みながら構成された前記パネルユニットＵLUを躯体（床）に固定された方立支持金具に対して順に取り付けたならば、縦枠３Ａ、３Ｂおよび中間横枠５，５に縦押縁６Ａ、６Ｂおよび横押縁８Ａ、８Ｂを取付けるとともに、縦枠３Ａ、３Ｂおよび中間横枠５，５によって囲まれた枠内に対して、ガラスＧ、Ｇを嵌め込み、ガラスＧ、Ｇを間に挟んで室内側および室外側にそれぞれ施工されたバックアップ材・シーリング材３４、ガラス背面支持用ガスケット３０により支持するようにする。
なお、前記分割方立１３、１３の接続構造は、前記フルユニット方式スプリットマリオン工法ＳＭと全く同様である。
【００４３】
〔ノックダウン工法〕
ノックダウン工法ＫＤに係るカーテンウォール構造は、建物躯体（床）の端部に固定された方立支持金具によって、水平方向に所定の間隔をおいて上下方向に沿って方立２，２…を固定した後、前記方立２，２の室外側面に縦枠１４を取り付けるとともに、上下方向に所定の間隔で横枠（無目）を架け渡して窓部開口枠を構成し、この開口枠の室外側に横押縁７Ａ'、７Ｂ'を取付け、ガラスＧ、Ｇ（複層ガラス）を嵌め込むようにした構造のカーテンウォールである。
【００４４】
前記ハシゴユニット方式スプリットマリオン工法に係るカーテンウォール構造を本ノックダウン工法に係るカーテンウォール構造に変更するには、分割方立１３、縦枠３Ａ、３Ｂおよび中間横枠５，５を変更する。
【００４５】
具体的には、図１３に示されるように、前記分割方立１３に代えて単一断面構造の方立２を使用するとともに、図１４に示されるように、前記縦枠３Ａ、３Ｂおよび縦押縁６Ａ、６Ｂに代えて左右両側に夫々ガラス嵌合溝を形成するようにした縦枠１４を使用する。また、図１５に示されるように、中間横枠５，５に代えて中間横枠１８，１９を使用する。
【００４６】
より詳しく説明すると、前記方立２は、前記セミユニット方式バックマリオン工法ＢＭにおいて使用した方立２がそのまま使用される。また、前記縦枠１４は、方立２の室外側面に取り付けられる断面Ｔ字状を成す中間連結部材１５、この中間連結部材１５にビス４５，４５…によって連結される断面逆Ｔ字状を成す縦枠本体１６、およびこれら中間連結部材１５および縦枠本体１６の両側に夫々取り付けられ、ガラス背面側を支持するためのガラス支持部１７ａ、１７ｂを有する側枠１７Ａ、１７Ｂとから構成されるもので、ノックダウン工法ＫＤに専用で使用される部材である。
【００４７】
一方、前記中間横枠５は機能の点、すなわち上側および下側にそれぞれ開口を向けたガラス嵌合溝を形成している点から言えば、本ノックダウン工法ＫＤにおいてもそのまま使用することもできるが、断面形状の縮小化を図るとともに、前記縦枠本体１６の見付け外観との整合を図るために、専用の中間横枠１８，１９を使用するようにしている。前記中間横枠１８，１９はほぼ類似形状の断面をしているが、腰部に使用される中間横枠１９には、上面の室内側より位置に腰壁嵌合溝を形成するために起立壁１９ｃを有する断面形状となっている。
【００４８】
前記中間横枠１８，１９は共に、略方形断面を成す横枠本体の室外側面に断面略Ｌ字状を成す押縁取付け片１８ａ、１９ａを有し、この押縁取付け片１８ａ、１９ａの上面側に横押縁７Ａ'を取り付けるとともに、下面側に横押縁７Ｂ'を取付け、上側および下側にそれぞれ開口を向けたガラス嵌合溝を形成するようになっている。
【００４９】
施工に当たっては、先ず建物躯体（床）の端部に固定された方立支持金具に方立２、２…を固定する。固定態様は、前記セミユニット方式バックマリオン工法ＢＭの場合と同様である（図１９および図２０参照）。
【００５０】
次いで、図１６に示されるように、方立２，２…の室外側面に対して前記中間連結部材１５を連結ビス４６，４６…によって固定するとともに、この中間連結部材１５に縦枠本体１６を連結する。前記縦枠本体１６の中間横枠１８，１９配設部位には両側にそれぞれ横枠支承金具４７，４７を取り付け、これら横枠支承金具４７，４７間に横架させるようにして中間横枠１８，１９を取り付ける。その後、前記中間連結部材１５、縦枠本体１６の両側にそれぞれ側枠１７Ａ、１７Ｂを取り付けて、ガラス嵌合溝を構成する。
【００５１】
こうして、方形枠状のガラス嵌合溝が形成されたならば、横押縁７Ａ'、７Ｂ'を取付け、ガラスＧ、Ｇを嵌め込むとともに、室内側および室外側にそれぞれ施工されたバックアップ材・シーリング材３４またはガラス背面支持用ガスケット３０により支持するようにする。なお、前記方立２、２の接続構造は、前記セミユニット方式バックマリオン工法ＢＭと全く同様である。
【００５２】
以上、セミユニット方式バックマリオン工法ＢＭ、フルユニット方式スプリットマリオン工法ＳＭ、ハシゴユニット方式スプリットマリオン工法ＬＵ、ノックダウン工法ＫＤの順で工法変更手順を交えながら、これらのカーテンウォール構造について詳述したが、本構造に係るカーテンウォールシステムの場合には、代替可能な複数種の方立部材と、前記窓部を構成する代替可能な複数種の窓部構成部材とが相互に嵌め合い可能であるとともに、異なる工法間で横枠同士が相互に嵌め合い可能となっているため、１つの建物の壁面内で異なる工法のユニットまたは部材を組み合わせて壁面を構成することが可能になる。すなわち、カーテンウォールの水平方向および縦方向に対し、セミユニット方式バックマリオン工法ＢＭ、フルユニット方式スプリットマリオン工法ＳＭ、ハシゴユニット方式スプリットマリオン工法ＬＵ、ノックダウン工法ＫＤの４種類の中で任意の組み合わせが可能とされる。
【００５３】
具体的に水平方向への組み合わせについて、方立２を使用するセミユニット方式バックマリオン工法ＢＭと、分割方立１３を使用するフルユニット方式スプリットマリオン工法ＳＭおよびハシゴユニット方式スプリットマリオン工法ＬＵとの境界部では、図２３に示されるように、前記セミユニット方式バックマリオン工法ＢＭ側の方立として例外的に分割方立１３Ａを用いるようにすればよい。
【００５４】
また、方立２を使用するセミユニット方式バックマリオン工法ＢＭと、分割方立１３を使用するフルユニット方式スプリットマリオン工法ＳＭおよびハシゴユニット方式スプリットマリオン工法ＬＵとの境界部では、図２４に示されるように、ノックダウン工法ＫＤ側の方立１３Ｃとして、フルユニット方式スプリットマリオン工法ＳＭおよびハシゴユニット方式スプリットマリオン工法ＬＵの分割方立１３Ａと嵌め合い可能とされる分割方立、具体的には方立中空部（本体）の対向面側に分割方立１３Ａの凹部１３ａに係合する突片１３ｄを備えるとともに、方立中空部の室外側から一体的に延在する縦枠部分に、ウインドバリア２３が当接する突片２４ａと、レインバリア２５が当接する突片２４ｂとが形成され、かつ室外側見付け面部分をノックダウン工法ＫＤで使用した縦枠本体１６の見付け面部分に近似させた断面形状の方立１６’を用い、これに側枠１７Ｃを取り付けるようにすればよい。
【００５５】
一方、縦方向への組み合わせについては、中間横枠５を使用するハシゴユニット方式スプリットマリオン工法ＬＵおよびノックダウン工法ＫＤと、分割される上・下横枠４Ａ、４Ｂを使用するセミユニット方式バックマリオン工法ＢＭおよびフルユニット方式スプリットマリオン工法ＳＭとの境界部では、図２５に示されるように、ハシゴユニット方式スプリットマリオン工法ＬＵ、ノックダウン工法ＫＤ側の横枠として例外的に下横枠４Ｂを用いるようにすればよい。なお、相対的に前記セミユニット方式バックマリオン工法ＢＭおよびフルユニット方式スプリットマリオン工法ＳＭが上側で、前記ハシゴユニット方式スプリットマリオン工法ＬＵおよびノックダウン工法ＫＤが下側である場合には、ハシゴユニット方式スプリットマリオン工法ＬＵ、ノックダウン工法ＫＤ側の横枠として例外的に上横枠４Ａを用いるようにする。
【００５６】
この場合、本カーテンウォールシステムでは、前記方立２および分割方立１３の外部形状（断面寸法Ａ×Ｂ）を共通としているため、外見的にも違和感無く、方立２と分割方立１３とが連続するようになっているとともに、方立同士を接続するための部材として、方立内における挿入位置を共通とする左右一組の方立接合用内挿部材４８，４８を用いるようにしているため、断面形状の異なる方立２と分割方立１３とであっても、図２６および図２７に示されるように、前記左右一組の方立接合用内挿部材４８，４８の一方端側を共に前記左右対の分割方立１３Ａ、１３Ｂ内に挿入するとともに、他方端側を共に前記単一断面構造の方立２内に挿入し、両方立２，１３を上下方向に連結することができるようになっている。
【００５７】
また、本カーテンウォールシステムでは、経年後にカーテンウォールの一部を同工法のカーテンウォールはもちろんのこと、異工法のカーテンウォールにより補修または外装表面材の取替えが可能となる。このリニューアル時の便宜のために、本カーテンウォール構造では、たとえば図４に示されるように、横枠の室内側において、横枠に設けられた蓋板係止具６０と、額縁本体６１とに跨って開口自在の蓋板６２が取り付けられ、前記横枠が封鎖されるようになっている構造において、前記蓋板６２は額縁本体６１との固定に用いられているボルト６３を取り除いた後、前記蓋板係止具６０を回転中心として開いたとき、横枠部分が露出するようになっており、内装仕上げ材（膳板、ブラインドボックス、腰壁等）を破壊する必要なく、容易にリニューアル工事が行えるようになっている。
【００５８】
ところで、本実施形態例では、相対的に室内側に方立を有し、室外側にパネル面を構成する窓部を有する構造のカーテンウォールを例に採り説明を行ったが、相対的に室外側に方立を有し、室内側にパネル面を構成する窓部を有する構造のカーテンウォールに対しても同様に適用することができる。
【００５９】
【発明の効果】
以上詳説のとおり本発明によれば、複数種のカーテンウォール工法に容易に対応可能であるとともに、構成部品の在庫管理等を簡素化し得るようになる。また、部材の共通化に加えて、方立接合用内挿部材の工夫、一部の特定形状の方立（ノックダウン工法の隣接境界で用いる。）の使用等により、同一建物の中で工法変更を容易に行い得るようになるとともに、リニューアル時においても、外装材の貼り替えが可能となり、省力化を可能とする。
【図面の簡単な説明】
【図１】本カーテンウォールのシステム構成説明図である。
【図２】セミユニット方式バックマリオン工法における水平横断面図（図１のII−II線矢視図）である。
【図３】セミユニット方式バックマリオン工法における中間横枠部縦断面図（図１のIII−III線矢視図）である。
【図４】セミユニット方式バックマリオン工法における上・下横枠部縦断面図（図１のIV−IV線矢視図）である。
【図５】セミユニット方式バックマリオン工法からフルユニット方式スプリットマリオン工法へ変更する場合の部材変更図である。
【図６】フルユニット方式スプリットマリオン工法における水平横断面図（図１のVI−VI線矢視図）である。
【図７】フルユニット方式スプリットマリオン工法における中間横枠縦断面図（図１のVII−VII線矢視図）である。
【図８】フルユニット方式スプリットマリオン工法における上・下横枠縦断面図（図１のVIII−VIII線矢視図）である。
【図９】フルユニット方式スプリットマリオン工法からハシゴユニット方式スプリットマリオン工法へ変更する場合の部材変更図である。
【図１０】ハシゴユニット方式スプリットマリオン工法における水平横断面図（図１のX-X線矢視図）である。
【図１１】ハシゴユニット方式スプリットマリオン工法における中間横枠縦断面図（その１）（図１のXI-XI線矢視図）である。
【図１２】ハシゴユニット方式スプリットマリオン工法における中間横枠縦断面図（その２）（図１のXII-XII線矢視図）である。
【図１３】ハシゴユニット方式スプリットマリオン工法からノックダウン工法へ変更する場合の部材変更図（その１）である。
【図１４】ハシゴユニット方式スプリットマリオン工法からノックダウン工法へ変更する場合の部材変更図（その２）である。
【図１５】ハシゴユニット方式スプリットマリオン工法からノックダウン工法へ変更する場合の部材変更図（その３）である。
【図１６】ノックダウン工法における水平横断面図（図１のXVI-XVI線矢視図）である。
【図１７】ノックダウン工法における中間横枠縦断面図（その１）（図１のXVII-XVII線矢視図）である。
【図１８】ノックダウン工法における中間横枠縦断面図（その１）（図１のXVIII-XVIII線矢視図）である。
【図１９】方立２を使用する場合の方立支持部平面図である。
【図２０】その側面図である。
【図２１】分割方立１３を使用する場合の方立支持部平面図である。
【図２２】その側面図である。
【図２３】水平方向への異なるカーテンウォール工法の組み合わせ要領図（その１）である。
【図２４】水平方向への異なるカーテンウォール工法の組み合わせ要領図（その２）である。
【図２５】縦方向への異なるカーテンウォール工法の組み合わせ要領図である。
【図２６】図２５のXXVI-XXVI線矢視図である。
【図２７】図２５のXXVII-XXVII線矢視図である。
【図２８】方立２、２の接合部を示す要部拡大断面図である。
【図２９】分割方立１３，１３の接合を示す要部拡大断面図である。
【符号の説明】
ＢＭ…セミユニット方式バックマリオン、ＳＭ…フルユニット方式スプリットマリオン、ＬＵ…ハシゴユニット方式スプリットマリオン、ＫＤ…ノックダウン、２…方立、３Ａ・３Ｂ…縦枠、４Ａ…上横枠、４Ｂ…下横枠、５…中間横枠、６Ａ・６Ｂ…縦押縁、７Ａ・７Ｂ・８Ａ・８Ｂ…横押縁、９…取付け用ブラケット、１３…分割方立、１４…縦枠
【図１】
0003815715.tif 000002
【図２】
0003815715.tif 000003
【図３】
0003815715.tif 000004
【図４】
0003815715.tif 000005
【図５】
0003815715.tif 000006
【図６】
0003815715.tif 000007
【図７】
0003815715.tif 000008
【図８】
0003815715.tif 000009
【図９】
0003815715.tif 000010
【図１０】
0003815715.tif 000011
【図１１】
0003815715.tif 000012
【図１２】
0003815715.tif 000013
【図１３】
0003815715.tif 000014
【図１４】
0003815715.tif 000015
【図１５】
0003815715.tif 000016
【図１６】
0003815715.tif 000017
【図１７】
0003815715.tif 000018
【図１８】
0003815715.tif 000019
【図１９】
0003815715.tif 000020
【図２０】
0003815715.tif 000021
【図２１】
0003815715.tif 000022
【図２２】
0003815715.tif 000023
【図２３】
0003815715.tif 000024
【図２４】
0003815715.tif 000025
【図２５】
0003815715.tif 000026
【図２６】
0003815715.tif 000027
【図２７】
0003815715.tif 000028
【図２８】
0003815715.tif 000029
【図２９】
0003815715.tif 000030